(57)【要約】【課題】ヘッダーとケース本体との取り付け強度が十分で、かつ吊り下げても傾くことがないインクジェットペーパー用収納ケースを提供する。【解決手段】ケース本体１２にヒンジ部を介して蓋体が開閉自在に一体に形成された略直方体形状のインクジェットペーパー用収納ケースにおいて、ケース本体１２の１つの面の略中央部に、貫通孔１４ａを有するヘッダー１４が立設されているインクジェットペーパー用収納ケースである。【選択図】　図１
2004115108.tif 000002
【特許請求の範囲】
【請求項１】
ケース本体にヒンジ部を介して蓋体が開閉自在に一体に形成された略直方体形状のインクジェットペーパー用収納ケースにおいて、
前記ケース本体の１つの面の略中央部に、貫通孔を有するヘッダーが立設されていることを特徴とするインクジェットペーパー用収納ケース。
【請求項２】
ケース本体にヒンジ部を介して蓋体が開閉自在に一体に形成された略直方体形状のインクジェットペーパー用収納ケースにおいて、
前記ケース本体の１つの面の略中央部に、貫通孔を有するヘッダーが切除可能に立設されていること；及び
前記ヘッダーのケース本体側の少なくとも一方の縁部に切欠部を有すること；を特徴とするインクジェットペーパー用収納ケース。
【請求項３】
前記ヘッダーとケース本体とが一体成形されていることを特徴とする請求項１または２に記載のインクジェットペーパー用収納ケース。
【請求項４】
ケース本体にヒンジ部を介して蓋体が開閉自在に一体に形成された略直方体形状のインクジェットペーパー用収納ケースにおいて、
前記ケース本体の底面に、ケース本体の天面と下面とをつないだ第１のリブが形成されていること；及び
前記蓋体を閉じた状態における、ヒンジ部を含む蓋体面の垂直方向であって、前記ケース本体内面の前記蓋体開閉側の両側部近傍に一対の第２のリブが形成されていること；
を特徴とするインクジェットペーパー用収納ケース。
【請求項５】
ケース本体にヒンジ部を介して蓋体が開閉自在に一体に形成された略直方体形状のインクジェットペーパー用収納ケースにおいて、
前記ケース本体の１つの面の略中央部に、貫通孔を有するヘッダーが切除可能に立設されていること；
前記ヘッダーのケース本体側の少なくとも一方の縁部に切欠部を有すること；前記ケース本体の底面に、ケース本体の天面と下面とをつないだの第１のリブが形成されていること；及び
前記蓋体を閉じた状態における、ヒンジ部を含む蓋体面の垂直方向であって、前記ケース本体内面の前記蓋体開閉側の両側部近傍に一対の第２のリブが形成されていること；
を特徴とするインクジェットペーパー用収納ケース。
【発明の詳細な説明】
【０００１】
【発明の属する技術分野】
本発明は、インクジェットペーパーを収納するインクジェットペーパー用収納ケースに関する。
【０００２】
【従来の技術】
インクジェットペーパーを収納し商品として店頭で陳列するに際し収納袋が使用され、例えば、陳列棚のロッドに吊るすという形態が知られている。しかし、収納するインクジェットペーパーの枚数が多くなると収納袋では重量に耐えられず、強度上の問題があることから、最近では、収納袋に代わり、樹脂製のケースが使用されている。そして、この樹脂製のケースにおいては、陳列棚のロッドに吊るすため、ロッドが貫通する貫通孔が穿設されたヘッダーがケースの一面（外側底面）に接着剤で貼付されている。ヘッダーを底面に貼付するのは、インクジェットペーパーを多枚数収納したとき自重により剥離してしまう懸念があり、底面に貼付することが強度上最も適しているからである。
ところが、底面にヘッダーが設けられると、ヘッダーはケース本体に対して揺動するため、自重によりケースが傾いてしまい、陳列時商品を正面に向けてアピールすることができなくなるという問題がある。
【０００３】
また、ケースの外側をシュリンク包装するとヘッダー部分に皺が発生しやすかった。
【０００４】
ユーザーは、このようなケースに収納されたインクジェットペーパーを購入し、インクジェットペーパーを使用（印刷）後、ケースを保存用に使用するに際し、ヘッダーを剥がすことがある。しかし、このようなケースでは、ヘッダーを剥がしたとき、接着剤の跡が底面に残り、外観を損なうという問題があった。
【０００５】
また、以上のようなヘッダーは、製造時、後工程でケースに取り付けられており、工数と費用がかかっていた。
【０００６】
一方、このようなケースにおいては、吊り下げたときや、ケースを多数積み上げたとき、自重によりケースが変形すること及びケースが反ることなどにより、収納されたインクジェットペーパーに傷など悪影響を及ぼすことがあった。
【０００７】
【発明が解決しようとする課題】
本発明は、以上の従来の問題点に鑑みなされたものであり、以下の目的を達成することを課題とする。すなわち、
本発明の目的は、ヘッダーとケース本体との取り付け強度が十分で、かつ吊り下げても傾くことがないインクジェットペーパー用収納ケースを提供することにある。
また、本発明の目的は、ヘッダーを取り外しても外観を損なわないインクジェットペーパー用収納ケースを提供することにある。
さらに、本発明の目的は、吊り下げても、積み上げても変形や反りの発生が少ないインクジェットペーパー用収納ケースを提供することにある。
【０００８】
【課題を解決するための手段】
本発明のインクジェットペーパー用収納ケースは、第１の態様によると、ケース本体にヒンジ部を介して蓋体が開閉自在に一体に形成された略直方体形状のインクジェットペーパー用収納ケースにおいて、前記ケース本体の１つの面の略中央部に、貫通孔を有するヘッダーが立設されていることを特徴としている。
本態様によれば、ヘッダーがケース本体の一面の略中央部に立設しているため、ケースを吊り下げたとき傾くことがなく、正面に対向することとなる。また、ケースをシュリンク包装しても皺の発生が少ない。
【０００９】
本発明のインクジェットペーパー用収納ケースは、第２の態様によると、ケース本体にヒンジ部を介して蓋体が開閉自在に一体に形成された略直方体形状のインクジェットペーパー用収納ケースにおいて、前記ケース本体の１つの面の略中央部に、貫通孔を有するヘッダーが切除可能に立設されていること；及び前記ヘッダーのケース本体側の少なくとも一方の縁部に切欠部を有すること；を特徴としている。
本態様によれば、ヘッダーを容易に切除することができるとともに、ヘッダーを切除しても、切除跡が目立つことがなく、ヘッダーを接着剤で底面に接着した場合と比較して、外観を損なうことがない。
【００１０】
以上の第１の態様と第２の態様のインクジェットペーパー用収納ケースにおいては、ヘッダーとケース本体とを一体成形すると、ヘッダーを後工程で取り付けることがなく、工数を削減することができること及び強度上の観点から好ましい。
【００１１】
本発明のインクジェットペーパー用収納ケースは、第３の態様によると、ケース本体にヒンジ部を介して蓋体が開閉自在に一体に形成された略直方体形状のインクジェットペーパー用収納ケースにおいて、前記ケース本体の底面に、ケース本体の天面と下面とをつないだ第１のリブが形成されていること；及び前記蓋体を閉じた状態における、ヒンジ部を含む蓋体面の垂直方向であって、前記ケース本体内面の前記蓋体開閉側の両側部近傍に一対の第２のリブが形成されていること；を特徴としている。
本態様によれば、第１のリブ及び第２のリブによりケースの強度が高まり、特に、第１のリブにより、ケースを吊り下げたとき、自重による反りが防止され、第２のリブにより、ケースを積み上げても、ケースの変形を防止することができる。なお、第１のリブと第２のリブとの相乗効果により、ケース全体としての強度が高まることは言うまでもない。
【００１２】
本発明のインクジェットペーパー用収納ケースは、第４の態様によると、ケース本体にヒンジ部を介して蓋体が開閉自在に一体に形成された略直方体形状のインクジェットペーパー用収納ケースにおいて、前記ケース本体の１つの面の略中央部に、貫通孔を有するヘッダーが切除可能に立設されていること；前記ヘッダーのケース本体側の少なくとも一方の縁部に切欠部を有すること；前記ケース本体の底面に、ケース本体の天面と下面とをつないだ第１のリブが形成されていること；及び前記蓋体を閉じた状態における、ヒンジ部を含む蓋体面の垂直方向であって、前記ケース本体内面の前記蓋体開閉側の両側部近傍に一対の第２のリブが形成されていること；を特徴としている。
本態様によれば、前述の第１〜第３の態様で挙げた作用をすべて有する。
【００１３】
【発明の実施の形態】
以下に、本発明のインクジェットペーパー用収納ケース（以下、単に「ケース」という場合がある。）の一実施形態について説明する。
図１は、本発明を適用したインクジェットペーパー用収納ケースの斜視図であり、図２は正面図であり、図３は後面図であり、図４は側面図であり、図５は上面図である。インクジェットペーパー用収納ケース１０は、全体として略直方体形状であって、底面１８が、収納されるインクジェットペーパーのサイズに対応するケース本体１２と、貫通孔１４ａを有するヘッダー１４とからなる。ケース本体１２にはヒンジ部１６を介して蓋体１９が一体に形成されていて、蓋体１９はヒンジ部１６を支点として自在に開閉する。インクジェットペーパーの収納は、蓋体１９を開いた状態でケース本体１２の所定の位置に収納し、収納後、蓋体１９を閉じた状態とする。このように蓋体１９が自在に開閉するためには、換言するとヒンジ部１６が自在に屈曲するためには、ケース本体１２（蓋体１９）の材質としては、ＰＰ（ポリプロピレン）が好ましい。また、本明細書において、このように揺動する蓋体１９の自由端側を開閉側という。
【００１４】
蓋体１９は、図７に示すように、ケース本体１４の底面と同一の形状・大きさの矩形部と、該矩形部に隣接する台形部とからなる。なお、本明細書においては、インクジェットペーパー用収納ケース１０を直方体として見たとき、１３７．５×３４×１００ｍｍのサイズの場合を例に説明するが、寸法自体は本発明の問うところではない。
【００１５】
ケース本体１２の上面（天面側）の略中央部には、貫通孔１４ａを有するヘッダー１４が立設されている。ヘッダー１４は、図４に示すように、ケース本体１２側末端部の断面形状が楔形に形成されていて、容易に切除可能となっている。このヘッダー１４のケース本体１２側の楔形形状は、吊るすときの強度と切除の容易さを考慮し適宜設定する。つまり、インクジェットペーパーを多数枚収納しても自重に耐えられ、かつ容易に切除可能なように設定する。そして、印刷後、インクジェットペーパーを保存ケースとして用いる場合に、ヘッダー１４をケース本体１２から切除するが、ヘッダーをケースの外側底面に接着する場合とは異なり、接着剤の跡が残らず、外観を損なうことがない。
また、インクジェットペーパー用収納ケース１０は、ヘッダー１４の貫通孔１４ａをロッドに貫通させることにより吊り下げる。このとき、ヘッダー１４の配設位置がケース本体１２上面の略中央部であるため、インクジェットペーパー用収納ケース１０は重力方向に吊り下がり、前後方向に傾くことがない。
【００１６】
図６は、ヘッダー１４を拡大して示す図であり、ヘッダー１４は、図６に示すように、ケース本体１２側の両縁部に切欠部１４ｂを有する。換言すると、ヘッダー１４は、そのケース本体１２側の両縁の角部が切除されている。このヘッダー１４の切欠部１４ｂにより、より容易にヘッダーを切除することができる。この場合においても、切欠部１４ｂの領域（面積）は、吊るすときの強度と切除の容易さを考慮し適宜設定する。具体的には、切欠部１４ｂの最大長さを１．０ｍｍ以上とすることができる。なお、図６では、ヘッダー１４のケース本体１２側の両縁部に切欠部を有する場合を示したが、切欠部は片側にだけあってもよい。
【００１７】
図７、図８は、ケース本体１２に対して蓋体１９を９０°だけ開いた状態を示している。ケース本体１２の底面１８には、蓋体１９の開閉側よりやや内側に天面と下面をつないだリブ１８ａ（第１のリブ）が一体に形成されている。具体的には、リブ１８ａは、ケース本体１２の内面における、ヘッダー１４側の天面と、ケース本体１２を吊り下げたとき下になる下面とをつないだ状態で形成されている。底面１８にリブ１８ａが形成されていることにより、ケースの強度が向上し、ケースを吊り下げたとき、自重によるケースの反りや変形を防止することができる。従って、内部に収納されたインクジェットペーパーに傷など悪影響を与えることを防止することができる。
【００１８】
一方、ケース本体１２の内面には、図７、図８に示すように、一対のリブ１２ａ（第２のリブ）が一体に形成されている。より具体的には、リブ１２ａは、蓋体１９を閉じた状態における、ヒンジ部１６を含む蓋体１９の一面の垂直方向であって、ケース本体１２の内面の蓋体１９の開閉側の両側部近傍に形成されている。リブ１２ａにより、インクジェットペーパー用収納ケース１０を多数積み上げても、ケースの反りや変形を防止することができる。そして、この場合においても、リブ１８ａと同様に、収納されたインクジェットペーパーに悪影響を及ぼすことを防止することができる。
【００１９】
以上のケース本体１２とヘッダー１４とは一体成形されることが好ましい。具体的には、材料としてポリプロピレンを用い、公知の射出成形により一体成形することができる。一体成形することにより、従来のように、ヘッダーをケース本体の底面に貼付する工程がなくなり、工数を削減することができる。また、一体成形により、長期保存時におけるヘッダーの欠落を防止することができる。
【００２０】
以上の実施形態では、蓋体が矩形部と台形部とからなる二面構成の場合を示したが、蓋体は一面からなる構成としてもよい。
【００２１】
【発明の効果】
本発明によれば、ヘッダーとケース本体との取り付け強度が十分で、かつ吊り下げても傾くことがないインクジェットペーパー用収納ケースを提供することができる。
また、本発明によれば、ヘッダーを取り外しても外観を損なわないインクジェットペーパー用収納ケースを提供することができる。
さらに、本発明によれば、吊り下げても、積み上げても変形や反りの発生が少ないインクジェットペーパー用収納ケースを提供することができる。
【図面の簡単な説明】
【図１】本発明を適用したインクジェットペーパー用収納ケースの斜視図である。
【図２】本発明を適用したインクジェットペーパー用収納ケースの正面図である。
【図３】本発明を適用したインクジェットペーパー用収納ケースの後面図である。
【図４】本発明を適用したインクジェットペーパー用収納ケースの側面図である。
【図５】本発明を適用したインクジェットペーパー用収納ケースの上面図である。
【図６】本発明を適用したインクジェットペーパー用収納ケースのヘッダー部分を示す拡大図である。
【図７】本発明を適用したインクジェットペーパー用収納ケースの蓋体を開いた状態を示す斜視図である。
【図８】本発明を適用したインクジェットペーパー用収納ケースの蓋体を開いた状態を示す正面図である。
【符号の説明】
１０　インクジェットペーパー用収納ケース
１２　ケース本体
１２ａ　リブ（第２のリブ）
１４　ヘッダー
１６　ヒンジ部
１８　底面
１８ａ　リブ（第１のリブ）
１９　蓋体
【図１】
2004115108.tif 000003
【図２】
2004115108.tif 000004
【図３】
2004115108.tif 000005
【図４】
2004115108.tif 000006
【図５】
2004115108.tif 000007
【図６】
2004115108.tif 000008
【図７】
2004115108.tif 000009
【図８】
2004115108.tif 000010